(57)【要約】  袋部、袋部に関して内在するフレーム、ショルダーハーネス及びヒップベルトを含むリュックサックであって；フレームには１対の離隔した可撓性ロッドを備え、該ロッドをフレームの両側に１本ずつ配置し、少なくとも袋部の両側で長さ方向に沿って下部まで延在させ；引張手段に関してその片端を前記可撓性ロッドの端部で又は該端部付近で其々可撓性ロッドと、その他端をヒップベルトについて接した部分とに間を隔てて固定し；各上記引張手段を、対応する可撓性ロッドを動かし、それにより上記ロッドを屈曲及び引張させて、上記ロッドとヒップベルトの対応する部分との間に相対的に強張って重量を伝達する連結を提供するよう構成し；上記可撓性ロッドの上記動きによりフレーム及びリュックサックが持ち上がり傾向になり、その結果ショルダーハーネスにかかる負荷が減少しベルトにかかる負荷が増加するような配置になっている。【選択図】  図８
2007521097.tif 000002
【特許請求の範囲】
【請求項１】
袋部、袋部に関して内在するフレーム、ショルダーハーネス及びヒップベルトを備えるリュックサックであって；
フレームには１対の離隔した可撓性ロッドを備え、該ロッドをフレームの両側に１本ずつ配置し、少なくとも袋部の両側で長さ方向に沿って下部まで延在させること；
及び、引張手段に関してその片端を前記可撓性ロッドの端部で又は該端部付近で其々可撓性ロッドと、その他端をヒップベルトについて接した部分とに間を隔てて固定し；各前記引張手段を、対応する可撓性ロッドを動かし、それにより前記ロッドを屈曲及び引張させて、前記ロッドとヒップベルトの対応する部分との間に相対的に強張って重量を伝達する連結を提供するよう構成し；前記可撓性ロッドの前記動きによりフレーム及びリュックサックが持ち上がり傾向になり、その結果ショルダーハーネスにかかる負荷が減少し、ベルトにかかる負荷が増加するような配置になっていること、を特徴とするリュックサック。
【請求項２】
前記フレームはロッド又は棒から成る骨格フレームであること、を特徴とする請求項１に記載のリュックサック。
【請求項３】
前記フレームは１対の離隔したＵ字型部分から成り、該Ｕ字型部分は傾いて互いに鋭角を成し、1又は複数本の横棒で一緒に固定され、そして隔てられており、前記Ｕ字型部分の内脚部は環状部分により一緒に固定され、各Ｕ字型部分の外脚部は前記可撓性ロッドの１本に固定されること、を特徴とする請求項１及び２に記載のリュックサック。
【請求項４】
各引張手段は、対応する可撓性ロッドの端部で又は付近で固定されたストラップを備え、前記ストラップの他端部は調節バックルを通して延在すること、を特徴とする請求項１乃至３のいずれか１つに記載のリュックサック。
【請求項５】
各可撓性ロッドの端部は袋部の下側部分に形成された羽部内に存在すること、を特徴とする請求項１乃至４のいずれか１つに記載のリュックサック。
【請求項６】
各可撓性ロッドの端部はヒップベルト内に存在すること、を特徴とする請求項１乃至４のいずれか１つに記載のリュックサック。
【発明の詳細な説明】
【発明の詳細な説明】
【０００１】
（技術分野）
本発明は、登山者又は徒歩旅行者用リュックサックにおける改良、及びかかるリュックサックのためのフレームに関する。
【０００２】
（背景技術）
現代のリュックサックはその中に装備を運搬してもよい袋部から成り、該袋部はフレームに取付けられ、袋部又はフレームにはショルダーハーネスが固定されている。  
【０００３】
重い荷物を肩部からのみ支えて運搬することにより背痛を引起こす又は背部に損傷さえ与える可能性があるため、大部分の現代のリュックサックはヒップベルトも備えて、それを袋部又はフレーム、一般的には袋部底面に又は付近に連結して、一部の荷重を肩部から腰部に移動させている。
【０００４】
ヒップベルトを使用することで背部にかかる負荷を軽減できるが、該ベルト自体が、歩行時の人体の動き方により、着用者に対して問題を引き起こす可能性がある。
【０００５】
人は歩行する際、一歩毎に前後に（図１）及び２歩毎に左右に（図２）傾く。一歩踏出すと支持側に傾くため、胴部はそちら側に縮み、踏出し側に伸びる（図３）：‐これは、その人を正面から観察すると、その臀部が仮想中心線（図３に破線で示す）を中心に上下に回動する、ことを意味する。これを本明細書では“上下”運動と称する。その他、図４に示すように、その臀部は脚部と関連して動くが、胴部や腕部はそれらと反対方向に揺動し、身体は腰部を支点に回動する。図４では、肩部を通る直線をＳ‐Ｓ線及び臀部を通る直線をＨ‐Ｈ線で示す。図４で示すように、一歩毎に肩部（線Ｓ‐Ｓ）と臀部（線Ｈ‐Ｈ）との間にかなりの相関的な回転運動が存在する。これを本明細書では“捻り”運動と称する。
【０００６】
また、人が屈む又は段を上るときには、背部は伸長する：‐その人が前屈みになればなる程、その背部は長くなる。かかる背部の伸長部分は曲面をなし、背部の自然な曲線に沿っている。
【０００７】
上述した運動のため、ヒップベルトはリュックサックに堅く固定され、その結果リュックサックと共に動くので、着用者にとっては極めて付け心地が悪いものとなっている。これは、ヒップベルトが絶え間なく着用者に、歩行時に着用者の身体の異なる部分が相対的に運動するために、擦れるからである。ヒップベルトを緩めてこの擦れを防ぐことはできない、というのはベルトをぴたりと装着して着用者の下肢帯に荷重を伝達させて、背部にかかる荷重を軽減させる必要があるからである。添付図の図５では、概略的に、リュックサックをヒップベルトで堅く固定して着用した人が前方向に屈む場合の作用を示している；‐背部の伸長によりリュックサックが持ち上がりヒップベルトが臀部から離れてしまい、不快な圧力を下腹部の前面全体に与えている（矢印Ｐ）。
【０００８】
上述した問題は、回動するヒップベルトと連結することで部分的には解決されたが、それはニュージーランド特許第２０１７５１（マックパック・ウィルダネス・エクイップメント社（Ｍａｃｐａｃ  Ｗｉｌｄｅｒｎｅｓｓ  Ｅｑｕｉｐｍｅｎｔ  Ｌｉｍｉｔｅｄ））１９８３年７月２５日付、により提供されたものである。
【０００９】
しかしながら、ニュージーランド特許第２０１７５１に記載されたヒップベルトはこの問題の完全な解決策になってはいない：‐というのはヒップベルトをリュックサックに比較的細めの連結部により固定しているために、リュックサックからヒップベルトへの荷重移動が連結点に集中してしまい、ヒップベルトの剛性分しか着用者の下肢帯周りに荷重が分散しなかったからである。ヒップベルトが強張れば強張る程、荷重は移動するようになるが、一般的に、ヒップベルトが強張れば強張る程、付け心地は悪くなる。その結果、着用者の背部と臀部の間で少なくとも３方向での相対的運動を可能にさせるが、不快な硬いヒップベルトを用いずに、着用者の下肢帯周りに効果的に荷重を移動させるハーネスを提供する課題が残されていた。
【００１０】
ニュージーランド特許第３３５９３１では、優れた重量移動を行なうフレーム及びヒップベルトを提供しているが、そのフレーム及びヒップベルトは双方とも嵩張り、そのため着用するには比較的重く、製造するには割高である。
【００１１】
ＰＣＴ出願第ＰＣＴ／ＵＳ９７／１３３９６では、効果的に重量移動させる課題を解決するためにも設計されたバックパックのフレームを開示している；このフレームは１対の離隔した弾力性のあるロッドと結合するエラストマー製パッドから成り、該１対のロッドはパッドの裏側に沿って張られており、バックパックのヒップベルトを締め付ける又は緩めることにより大なり小なりの程度で伸縮できる。しかしながら、弾力性のあるロッドが固定される程度、ひいてはヒップベルトへの荷重移動量は、ヒップベルトの締め付け度により左右される：‐ヒップベルトの締め付けとは関係無く荷重移動量を変化させる方法については提供していない。実際には、実質的にヒップベルトを締め付けずにヒップベルトへの荷重移動量を可変させることが多くの場合望ましい。さらに、弾力性のあるロッドの伸縮性を高くしてリュックサックの荷重を利用者の背部のより近くに引寄せる傾向があるが、必ずしも荷重の一部をショルダーハーネスから解除するわけではない。
【００１２】
（発明の開示）
本発明の主な目的は、比較的軽量でそのため利用者から見てより単純で、さらにリュックサックからヒップベルトへの重量移動を効果的に且つ容易に可変させて行なえるリュックサック及びリュックサックのフレームを提供することである。  
【００１３】
本発明が提供するリュックサックは、袋部、袋部に関して内在するフレーム、ショルダーハーネス及びヒップベルトを備え；フレームには１対の離隔した可撓性ロッドを備え、該ロッドをフレームの両側に１本ずつ配置し、少なくとも袋部の両側で長さ方向に沿って下部まで延在させ；及び、引張手段に関してその片端を上記可撓性ロッドの端部で又は該端部付近で其々可撓性ロッドと、その他端をヒップベルトについて接した部分とに間を隔てて固定し；各上記引張手段を、対応する可撓性ロッドを動かし、それにより上記ロッドを屈曲及び引張させて、上記ロッドとヒップベルトの対応する部分との間に相対的に強張って重量を伝達する連結を提供するよう構成し；上記可撓性ロッドの上記動きによりフレーム及びリュックサックが持ち上がり傾向になり、その結果ショルダーハーネスにかかる負荷が減少しベルトにかかる負荷が増加するような配置になっている。
【００１４】
（発明を実施するための最良の形態）
特に、図８を参照すると、本発明による登山者又は徒歩旅行者用リュックサック２には袋部３及びヒップベルト８を具備し、該袋部３を既知の種類（以下記述するように、羽部４を付加する他は）とし、内在するフレーム５により支持し、ハーネス６を備える。該ハーネス６には１対の詰め物をしたショルダーストラップ７を備える。ハーネス６を、以下記述する新規の機能を有するヒップベルトの他は、既知の種類のものとする。
【００１５】
特に、図６及び図７を参照すると、フレーム５は１対の離隔したＵ字型部分１０、１１から構成され、該Ｕ字型部分を傾けて互いに鋭角にし、横棒１２で相隔てる。各Ｕ字型部分１０、１１の湾曲端部を最上部に設ける。このフレームを袋部３に挿入すると、Ｕ字型部分で袋部の上部分を支持するようになる。
【００１６】
各Ｕ字型部分の外脚部１０ａ、１１ａを可撓性ロッド１３、１４に連結し、該ロッドの長手方向軸を対応する脚部の長手方向軸と一直線にする。
【００１７】
内脚部１０ｂ、１１ｂの各Ｕ字型部分を環状部分１５で一体的に形成し、該環状部分で袋部の下部分を支持し、該環状部分を可撓性ロッド１３、１４間に存在させる。  
【００１８】
外脚部と内脚部１０ａ／１０ｂ、１１ａ／１１ｂを、隣接するそれらの下端部で横棒１０ｃ、１１ｃにより互いに結び付ける。
【００１９】
図７に示すように、各Ｕ字型部分１０、１１を側面から見て曲線にし、着用者の上背部の曲線に合うようにする。環状部分１５も曲線にして、着用者の下背部の形状に合うようにする。
【００２０】
フレーム５を既知の方法で袋部３内部に、図８で示すように、固定する。
【００２１】
袋部３を、袋部の各背面下隅部に織物製の羽部を付加する他は、既知の設計のものとする。各羽部４を略三角形の形状にして、２枚の平行な織物片を備え、それらの間に詰め物を挟む。
【００２２】
図９により詳細に示すように、羽部の辺４ａを袋部背面の長さ方向に沿って延在させ、袋部のフレーム５を受容する部分に向けて羽部を開け、対応する可撓性ロッド１３、１４を、羽部４内部で詰め物層の間に置く。
【００２３】
各羽部４内側に通じる２つの平行な開口部１６、１７を、外縁部４ｃ（即ち縁部４ａから最も離れた）に、下縁部４ｂと近接して形成する。
【００２４】
各開口部１６を外縁部４ｃの最も近くに位置させ、ヒップベルト８の一端部１８を受容させる；該端部１８を羽部４の幅方向に通して、開口部１６に近接する袋部に縫い付ける。
【００２５】
各開口部１７で調節ストラップ１９を受容し、該調節ストラップ１９を開口部１７を通して延在させ、内側に入った端部を対応する可撓性ロッド１３、１４に該ロッドの下端部付近で固定する。各調節ストラップ１９を対応する可撓性ロッド１３、１４に、該ロッドと一体化して形成されたリテーナ２０を用いて固定する。各調節ストラップ１９の外側に出ている端部２１をヒップベルト８に固定されたバックル２２に通す。
【００２６】
明確にするために、バックル２２を図９及び図１０で単純な２本棒付きバックルで示したが、実際にはバックル２２は既知の種類の調節バックルで、バックルを介して各ストラップ１９を矢印Ａ（図１０）方向に引けるが、手動でストラップ１９の位置を変えて逆動可能にするまでは逆方向には動かせない。    
【００２７】
上述したリュックサックは以下のように使用する：‐リュックサックを着用者の肩部に通常のように配置し、ヒップベルトを着用者の臀部周りに締める。図９で示した非引張位置において、フレーム５をヒップベルト８に羽部４及びストラップ１９により取付けるが、それら全てはフレームに関して自由に撓曲及び回動できる：‐その結果、可撓的に連結されるが、比較的少ない重量がフレームからヒップベルトへ移動する。フレームからヒップベルトへ移動するリュックサックの重量の割合を高くするために、着用者は矢印Ａ方向にストラップ１９を引いて、可撓性ロッド１３、１４を矢印Ｂ方向に引き寄せる。調節バックル２２でストラップ１９を曲げて、即ち引張させた位置に留めて、可撓性ロッド１３、１４を斜めの線で示した（図９の１４ａ）位置に保持する。そうすることで、フレームとヒップベルトの間がはるかに強張って結合され、その結果ヒップベルトへの重量移動が向上する。
【００２８】
図１１では本発明の他の実施例を示しており、羽部４を袋部３両側から省略し、その代わり袋部両側をヒップベルト８の隣接させる部分に直接向けている。この実施例では、可撓性ロッド１３、１４其々の端部をベルト８内に置き、調節ストラップ１９ａにより引張させる。調節ストラップ１９ａはヒップベルト８の開口部１７ａを通り延在し、第１実施例に関連して記載した調節ストラップ１９と同じ方法で働く：同じ参照番号は第１実施例に関して記載した同じ構成要素を示す。
【００２９】
本発明のリュックサックにより効率的なヒップベルトへの重量移動を提供できるが、類似の設計のものより遙かに容易に製造でき且つ軽重量である。
【図面の簡単な説明】
【００３０】
本発明の好適な実施例を以下の添付図を参照して詳細に記述する。
【図１】歩行時の人体の動きを示した図である。
【図２】歩行時の人体の動きを示した図である。
【図３】歩行時の人体の動きを示した図である。
【図４】歩行時の人体の動きを示した図である。
【図５】歩行時の人体の動きを示した図である。
【図６】本発明によるリュックサックのフレームの平面図である。
【図７】図６のフレームの側面図である。
【図８】リュックサックに装着した本発明のフレームの輪郭を示した側面図である。
【図９】図８を拡大寸法で示した詳細図である。
【図１０】図９のＸ‐Ｘ線に沿って拡大寸法で示した断面図である。
【図１１】本発明の第２実施例による、リュックサック内に取付けたフレームの一部分の概略を示した側面図である。
【符号の説明】
【００３１】
２            リュックサック
３            袋部
４            羽部
４ａ            辺
４ｂ            下縁部
４ｃ            外縁部
５            フレーム
６            ハーネス
７            ショルダストラップ
８            ヒップベルト
１０、１１        Ｕ字型部分
１０ａ、１１ａ        外脚部
１０ｂ、１１ｂ        内脚部
１２            横棒
１３、１４        可撓性ロッド
１５            環状部分
１６、１７        開口部
１８            端部
１９            調節ストラップ
２０            リテーナ
２２            バックル
【図１】
2007521097.tif 000003
【図２】
2007521097.tif 000004
【図３】
2007521097.tif 000005
【図４】
2007521097.tif 000006
【図５】
2007521097.tif 000007
【図６】
2007521097.tif 000008
【図７】
2007521097.tif 000009
【図８】
2007521097.tif 000010
【図９】
2007521097.tif 000011
【図１０】
2007521097.tif 000012
【図１１】
2007521097.tif 000013
【国際調査報告】
2007521097.tif 000014
2007521097.tif 000015
2007521097.tif 000016